(57)【要約】    【課題】  放電ランプに繰り返し印加されるパルス状の高周波電圧が電源リップルによる影響を受けないで実質的に均一化するように改良して、深調光時における放電ランプの明るさのちらつきが発生するのを抑制した放電ランプ点灯装置を提供する。    【解決手段】  放電ランプ点灯装置は、電源リップルを含む直流電圧を出力する直流電源RDCと、その直流電圧を入力するインバータ回路INVと、共振回路RCを含みインバータ回路の出力端に接続されていて、放電ランプDLを接続する負荷回路LCと、放電ランプを調光点灯する調光手段と、調光信号に対応した調光レベルで放電ランプを点灯するように調光手段を制御し、少なくとも深調光時にはパルス状高周波電圧を放電ランプに繰り返し印加するとともに、当該パルス状高周波電圧を電源リップルにかかわらず実質的に均一化するパルス状高周波電圧均一化手段CCを含んでいる制御手段とを具備している。【選択図】図３
2008234875.tif 000002
【特許請求の範囲】
【請求項１】
交流電源電圧を整流平滑して電源リップルを含む直流電圧を出力する直流電源と；
直流電源から出力される直流電圧を入力して高周波電圧に変換するインバータ回路と；
インバータ回路からインバータ回路の出力端に接続される放電ランプに入力する高周波電力を低減させて放電ランプを調光点灯する調光手段と；
調光信号に対応した調光レベルで放電ランプを点灯するように調光手段を制御し、少なくとも深調光時にはパルス状高周波電圧を放電ランプに繰り返し印加するとともに、当該パルス状高周波電圧を電源リップルにかかわらず実質的に均一化するパルス状高周波電圧均一化手段を含んでいる制御手段と；
を具備していることを特徴とする放電ランプ点灯装置。
【請求項２】
パルス状高周波電圧均一化手段は、パルス状高周波電圧の発生位相を電源リップルの所定位相に同期させることで実質的に均一化することを特徴とする請求項１記載の放電ランプ点灯装置。
【発明の詳細な説明】
【技術分野】
【０００１】
本発明は、放電ランプを調光点灯する放電ランプ点灯装置に関する。
【背景技術】
【０００２】
ランプ電圧にパルス電圧を重畳することで放電ランプを深調光するように構成した放電ランプ点灯装置は既知である（例えば、特許文献１参照。）。特許文献１に記載された放電ランプ点灯装置は、定格点灯から調光下限までは直流チョッパの出力電圧を変化させることでインバータ回路の出力電圧が変化するようにして調光し、調光下限の近傍においてはランプ電圧にパルス電圧を重畳するように構成している。直流チョッパの入力端には、交流電源電圧を整流平滑化する直流電源を接続している。ランプ電圧に重畳されるパルス電圧は、インバータ回路のスイッチング周波数を負荷回路中の共振回路の共振周波数に近づけることで形成している。
【０００３】
【特許文献１】特開２００３−１９７３９１号公報
【発明の開示】
【発明が解決しようとする課題】
【０００４】
交流電源電圧を整流平滑化する直流電源を用いて放電ランプにパルス状高周波電圧を印加して深い調光を行わせる場合、直流電圧にリップルが含まれていると、上記パルス電圧値がリップルの影響を受けて変動する。
【０００５】
深調光時において、パルス状高周波電圧の波高値が変動すると、放電ランプの明るさにちらつきを生じるという問題がある。
【０００６】
上述の問題を回避するには、直流電源の平滑コンデンサの容量を大きくして電源リップルを完全になくす必要があるが、これを実現しようとすると、平滑コンデンサが大型化するばかりでなく、そのために直流電源が高価になってしまうという問題がある。また、スイッチングレギュレータを用いて平滑化することもできるが、高価になってしまうという問題がある。
【０００７】
他方、上記のいずれにしても、実用的な平滑コンデンサを用いて平滑化する直流電源の回路設計において、深調光時に放電ランプの明るさにちらつきを生じない程度に電源リップルを十分に除去することは実際上甚だ困難である。
【０００８】
本発明は、直流電源の直流出力が電源リップルを含んでいても、放電ランプに繰り返し印加されるパルス状高周波電圧が電源リップルによる影響を受けないで実質的に均一化するように改良して、深調光時における放電ランプの明るさのちらつきが発生するのを抑制した放電ランプ点灯装置を提供することを目的とする。
【課題を解決するための手段】
【０００９】
本発明の放電ランプ点灯装置は、交流電源電圧を整流平滑して電源リップルを含む直流電圧を出力する直流電源と；直流電源から出力される直流電圧を入力して高周波電圧に変換するインバータ回路と；インバータ回路からインバータ回路の出力端に接続される放電ランプに入力する高周波電力を低減させて放電ランプを調光点灯する調光手段と；調光信号に対応した調光レベルで放電ランプを点灯するように調光手段を制御し、少なくとも深調光時にはパルス状高周波電圧を放電ランプに繰り返し印加するとともに、当該パルス状高周波電圧を電源リップルにかかわらず実質的に均一化するパルス状高周波電圧均一化手段を含んでいる制御手段と；を具備していることを特徴としている。
【００１０】
本発明は、以下の態様を許容する。
【００１１】
〔直流電源について〕    直流電源は、後述するインバータ回路から見た入力供給手段であり、直流電圧を出力する。この直流電圧には電源リップルが含まれている。なお、本発明において電源リップルが直流電圧に含まれる程度は問わない。電源リップルがたとえ微弱であったとしても、その電源リップルが高周波電圧の波高値に直接影響を与えるので、深調光時において、放電ランプに明るさのちらつきを引き起こす場合には、本発明にいうところの電源リップルが含まれているとされる。
【００１２】
また、直流電源は、交流電源電圧を整流平滑化する機能を有しているのに加えて、交流電源電圧と異なる実効値の直流電圧を出力できるように電圧変換機能を具備していることを許容する。電圧変換機能は、本発明において特段限定されないが、例えば昇圧チョッパ、降圧チョッパなどを単独で、または多段的に組み合わせ接続して用いることができる。
【００１３】
〔インバータ回路について〕    インバータ回路は、直流電源から出力される電源リップルを含む直流電圧を高周波に変換する手段であり、少なくとも１つのスイッチング素子を含んでいる。本発明において、インバータ回路の回路方式は特段限定されない。例えば、ハーフブリッジ形インバータ、フルブリッジ形インバータ、一石形インバータなどを用いることができる。
【００１４】
また、インバータ回路は、その発振周波数を可変に構成することができる。なお、周波数を可変にすることにより、高周波出力を一定にしたり、後述するように調光したりすることができる。
【００１５】
さらに、インバータ回路は、所望により絶縁形または非絶縁形の出力トランスを含んでいることが許容される。
【００１６】
〔調光手段について〕    調光手段は、調光信号に応じて放電ランプを調光点灯させる手段であり、前記直流電源および前記インバータ回路のいずれか一方または両方を調光のために作動させることを含んでいる。すなわち、前記直流電源および前記インバータ回路のいずれか一方または両方は、それらが調光のために利用される場合には、調光手段の少なくとも一部をなしている。以下にそのような場合の主な態様を列挙する。
【００１７】
１．直流電源から出力される直流電圧を低減させて調光を行う態様。すなわち、直流電源から出力される直流電圧を低下させると、これに伴ってインバータ回路から出力される高周波電圧が低下するので、この高周波電圧を放電ランプに印加すると、放電ランプに投入される高周波電力が低減して放電ランプが調光点灯する。直流電源の直流電圧出力を調光信号に応じて低下させるためには、チョッパ回路、例えば昇圧チョッパや降圧チョッパなどを直流電源に追加することができる。
【００１８】
２．インバータ回路の発振周波数を変化させて調光を行う態様。すなわち、負荷回路の共振回路に印加する高周波電圧の周波数を変化すると、放電ランプの負荷回路の共振特性上の動作点が移動して共振度合いが変化するので、放電ランプに印加される高周波電圧を調光信号に応じて変化させて放電ランプを調光することができる。例えば、共振特性曲線の共振点より周波数が高い遅相領域においては、周波数が高くなるにしたがって放電ランプに印加される電圧が低下して、調光度が大きくなる。
【００１９】
３．上記１．および２．の態様を併用する態様。すなわち、上記１．および２．の態様を併用して調光を行うこともできる。
【００２０】
４．パルス状高周波電圧を繰り返し印加する態様。すなわち、放電ランプにパルス状高周波電圧を繰り返し印加する、換言すれば高周波電圧を間欠的に印加することで、放電ランプを調光することができる。パルス状高周波電圧の繰り返しの間は、次の状態のいずれを選択してもよい。
（１）相対的に低いがアーク放電を持続し得る程度の高周波電圧をパルス状高周波電圧とパルス状高周波電圧との間に印加し続けて、継続した点灯を行う状態。
（２）アーク放電は持続しないが、微弱放電がパルス状高周波電圧とパルス状高周波電圧との間において持続する状態。このような状態においては、再点弧電圧が低くなる。
（３）パルス状高周波電圧とパルス状高周波電圧との間は放電ランプに電圧が実質的に印加しない状態。したがって、点灯も微弱放電も持続しない。
【００２１】
本態様において、調光度を変化させるには、パルス状高周波電圧のデューティを変化したり、高周波電圧の持続時間を固定してパルス状高周波電圧の繰り返し周波数を変化させたりすればよい。要するに、パルス状高周波電圧のデューティ比を変化させればよい。
【００２２】
また、パルス状高周波電圧を形成するためには、直流電源の直流電圧出力を高くしたり、インバータ回路の発振周波数を負荷回路の相対的に共振点側へ近づけたりする制御を行えばよい。
【００２３】
以上列挙した調光のための前記直流電源および前記インバータ回路における作動の各態様の中で、１．〜３．の態様は、図１に示す放電ランプの周波数−ランプ電流特性曲線において、周波数ｆ０〜ｆ２の間の特性曲線が比較的緩やかな安定点灯領域において適用するのに好適である。すなわち、いわゆるｆ２を調光下限とする領域までの調光時に適用するのに好適な態様である。
【００２４】
これに対して、４．の態様は、図１に示す放電ランプの周波数−ランプ電流特性曲線において、周波数ｆ２〜ｆ３の間の特性曲線が急激に変化する不安定点灯領域において適用するのに好適である。すなわち、深調光時に適用するのに好適な態様である。しかし、４．の態様は、上述の安定領域においても適用することができる態様である。なお、本発明においては、少なくとも深調光時には、本態様を採用して放電ランプの調光を行うものである。
【００２５】
〔制御手段について〕    制御手段は、前記調光手段を制御して放電ランプを調光点灯させる手段であるとともに、本発明においては加えてパルス状高周波電圧均一化手段を含んでいる。すなわち、制御手段は、放電ランプを調光点灯させるために、放電ランプの定格点灯からいわゆる調光下限までの制御と深調光時の制御とを司る。なお、深調光とは、上述のいわゆる調光下限よりさらに調光度合いが進んだ深い調光であり、一般的には２０％以下、好ましくは３％以下、さらに望ましくは限りなく０％まで接近した調光をいう。したがって、本発明は、深調光まで可能な調光を行える放電ランプ点灯装置を提供しようとするものである。
【００２６】
深調光時の制御は、放電ランプに印加されるパルス状高周波電圧を形成するための制御とパルス状高周波電圧を実質的に均一化するための制御を含む。パルス状高周波電圧を形成するための制御は、前記４．に述べた態様となるように制御することである。
【００２７】
パルス状高周波電圧均一化手段は、インバータ回路に入力する直流電圧が電源リップルを含んでいるために、インバータ回路から出力される高周波電圧が電源リップルに応じて変動しているとしても、放電ランプに繰り返し印加されるパルス状高周波電圧の各々が均一化されているようにするための手段である。パルス状高周波電圧均一化手段の主な構成は次のとおりである。
【００２８】
第１の構成は、パルス状高周波電圧の発生位相を電源リップルの所定の位相に同期させる同期化手段である。例えば、直流電源から出力される直流電圧の電源リップルの繰り返し周波数を検出して、パルス状高周波電圧の繰り返し周波数を電源リップルの繰り返し周波数に同期させる。電源リップルの繰り返し周波数は、交流電源の周波数が５０Ｈｚの場合、全波整流であれば、１００Ｈｚとなる。パルス状高周波電圧の繰り返し周波数が１００Ｈｚ以上であれば、人間の目にその周波数による明るさのちらつきを感じさせることはない。
【００２９】
また、パルス状高周波電圧の発生位相を電源リップルの谷すなわち極小値または山すなわち極大値付近に合わせれば、パルス状高周波電圧全体の波高値が実質的に均一化される。
【００３０】
そうして、第１の構成によれば、放電ランプに繰り返し印加されるパルス状高周波電圧が実質的に均一化されるので、放電ランプの深調光時にパルス状高周波電圧の印加によって明るさのちらつきが発生するのを防止することができる。
【００３１】
第２の構成は、放電ランプのランプ電圧検出回路またはこれに加えて電源リップル検出回路を配設し、かつ放電ランプに印加されるパルス状高周波電圧の周波数帰還制御回路を配設して、インバータ回路の発振周波数をパルス状高周波電圧の波高値が均一化するように帰還制御する。
【００３２】
すなわち、負荷回路の共振回路は、図２に示す共振特性を有しているので、インバータ回路のパルス状高周波電圧の基本発振周波数をｆ１とした場合に、発振周波数ｆ１を△ｆ１上下させると、放電ランプに印加されるランプ電圧が△ＶＬの幅で変化する。
【００３３】
したがって、電源リップルによりインバータ回路の高周波電圧出力が変化すると、放電ランプに印加されるパルス状高周波電圧も応分に変化するが、その変化をランプ電圧検出回路が検出してインバータ回路の発振周波数を、放電ランプに印加されるパルス状高周波電圧が一定になるように帰還制御することにより、パルス状高周波電圧を実質的に均一化することができる。
【００３４】
そうして、第２の構成によれば、インバータ回路の発振周波数を、電源リップルの繰り返し周波数に無関係に自由に、しかも所望に応じて設定することができる。なお、深調光時における調光信号に応じた調光制御は、パルス状高周波電圧のデューティを制御することにより行われる。
【００３５】
〔その他の構成について〕    本発明においては、所望により以下の構成を付加することができる。
【００３６】
１．（負荷回路について）    負荷回路は、放電ランプをインバータ回路の出力端に接続する際に、インバータ回路と放電ランプの間に介在させることができる。放電ランプを共振回路を介在してインバータ回路の出力端に接続することにより、放電ランプに負荷回路の所望に応じて適度に共振した共振電圧を印加することができる。共振回路は、好ましくは直列共振回路であり、かつ放電ランプは、共振電圧が印加される回路上の位置に接続される。
【００３７】
また、負荷回路は、そこに接続する放電ランプに対して限流インピーダンスを提供することができる。限流インピーダンスとして共振回路のリアクタンスを利用することができる。
【００３８】
２．（フィラメント加熱回路について）    フィラメント加熱回路は、放電ランプが熱陰極形の場合、そのフィラメント電極を所要の程度に加熱する手段である。フィラメント加熱回路は、放電ランプの始動に先立ってフィラメント電極を加熱するとともに、調光度に応じて加熱量を変化させるようにするのが好ましい。
【発明の効果】
【００３９】
本発明によれば、深調光時において、パルス状高周波電圧を放電ランプに繰り返し印加する際に、パルス状高周波電圧均一化手段を設けて直流電源の出力電圧に電源リップルが含まれているにもかかわらずパルス状高周波電圧を均一化することにより、明るさのちらつきの発生を効果的に抑制した放電ランプ点灯装置を提供することができる。
【発明を実施するための最良の形態】
【００４０】
以下、図面を参照して本発明を実施するための形態を説明する。
【００４１】
図３は、本発明の放電ランプ点灯装置を実施するための第１の形態を示す回路図である。
【００４２】
本形態において、放電ランプ点灯装置は、直流電源ＲＤＣ、インバータ回路ＩＮＶ、負荷回路ＬＣ、制御手段ＣＣおよびフィラメント加熱回路ＦＨＣを具備している。なお、符号ＤＬは放電ランプ、ＤＭは調光信号発生手段である。
【００４３】
直流電源ＲＤＣは、全波整流回路ＦＢＲおよび昇圧チョッパＢＵＣからなる。全波整流回路ＦＢＲは、その交流入力端が商用交流原電ＡＣに接続する。昇圧チョッパＢＵＣは、その入力端が全波整流回路ＦＢＲの直流出力端に接続している。
【００４４】
インバータ回路ＩＮＶは、ハーフブリッジ形インバータからなり、昇圧チョッパＢＵＣの出力端であるところの平滑コンデンサＣ１の両端間に直列接続している一対のスイッチング素子Ｑ１、Ｑ２を備え、スイッチング素子Ｑ２の両端間に高周波電圧を出力する。なお、本形態において、インバータ回路ＩＮＶは、本発明の調光手段を兼ねている。
【００４５】
負荷回路ＬＣは、直流カットコンデンサＣ２および共振回路ＲＣが直列回路を形成して構成されていて、インバータ回路ＩＮＶのスイッチング素子Ｑ２の両端に接続している。共振回路ＲＣは、インダクタＬ１および共振コンデンサＣ３の直列共振回路からなる。
【００４６】
制御手段ＣＣは、パルス状高周波電圧均一化手段を含んでいるとともに、調光信号に対応して制御された駆動信号をインバータ回路ＩＮＶのスイッチング素子Ｑ１、Ｑ２に対して供給する。
【００４７】
本形態において、パルス状高周波電圧均一化手段は、平滑コンデンサＣ１の端子電圧を監視することにより、深調光時において、パルス状高周波電圧を形成するための駆動信号の繰り返し周波数を、電源リップルの繰り返し周波数に同期した値に設定するように構成されている。これにより、制御手段ＣＣは、調光下限よりさらに深い深調光時において、繰り返し周波数が電源リップルに同期し、かつ発生位相が電源リップルの所定位相、例えば極小値の位相に同期した駆動信号をインバータ回路ＩＮＶに供給する。
【００４８】
また、制御手段ＣＣは、深調光時において、インバータ回路ＩＮＶのスイッチング素子Ｑ１、Ｑ２に対する駆動信号を以下のように制御する。
【００４９】
（１）パルス状高周波電圧のデューティ（持続時間）を調光信号に対応して変化させる。
【００５０】
（２）パルス状高周波電圧の波高値を高くするために、インバータ回路ＩＮＶの発振周波数を共振回路ＲＣの共振点に近づくように低下させる。
【００５１】
（３）パルス状高周波電圧の繰り返しの間における高周波電圧の波高値を低くするために、インバータ回路ＩＮＶの発振周波数を上昇させる。
【００５２】
（４）パルス状高周波電圧の繰り返し周波数および発生位相を電源リップルのそれらに同期させる。
【００５３】
さらに、制御手段ＣＣは、定格点灯から調光下限までの調光時において、インバータ回路ＩＮＶの発振周波数を調光信号に応じて変化させた駆動信号を発生する。このため、スイッチング素子の駆動信号周波数が増大すると、それに応じて調光度が大きくなる。
【００５４】
フィラメント加熱回路ＦＨＣは、放電ランプＤＬの一対のフィラメント電極を所要に加熱するように配設されている。
【００５５】
放電ランプは、熱陰極形の蛍光ランプなどを用いることができる。蛍光ランプとしては、一般照明用、高周波点灯専用形、コンパクト形および電球形などの各種蛍光ランプが適応する。
【００５６】
調光信号発生手段ＤＭは、操作に応じて所望の調光度の調光信号を発生して、制御手段ＣＣに供給する。なお、調光信号発生手段ＤＭは、放電ランプ点灯装置から離間した位置に配設してもよいし、放電ランプ点灯装置の内部に配設してもよい。
【００５７】
次に、図４ないし図６を参照して第１の形態における回路動作を説明する。
【００５８】
図４は、深調光時における放電ランプＤＬに印加される高周波電圧を示す波形図である。図において、上側の波形図はランプ電圧を示し、下側の波形図はランプ電流を示している。
【００５９】
ランプ電圧Ｖは、繰り返し間欠的に印加されるパルス状高周波電圧Ｖｐと、パルス状高周波電圧Ｖｐの間に印加される持続高周波電圧Ｖｗとからなり、それらが交互に繰り返し印加される。図から明らかなように、パルス状高周波電圧Ｖｐは波高値が高く、持続高周波電圧Ｖｗは波高値が低い。
【００６０】
ランプ電流Ｉは、パルス状高周波電圧Ｖｐが印加されている期間に、放電ランプＤＬ内にアーク放電が生起するので、そのときに流れる主電流Ｉａと持続高周波電圧Ｖｗの印加中に流れる微弱電流Ｉｗとが交互に繰り返し流れる。その結果、放電ランプＤＬは、調光下限を超越した深調光状態の点灯を行うことができる。なお、図において、符号Ｔは、パルス状高周波電圧Ｖｐの繰り返し周期を示している。
【００６１】
次に、図５を参照してパルス状高周波電圧Ｖｐを形成するための手段を説明する。
【００６２】
図５は、共振回路の共振特性曲線と周波数の関係を示すグラフである。
【００６３】
共振回路の共振特性は、図中の実線に示すように周波数ｆ０のときに共振が極大値（電圧が極端に高くなるため、図示を省略している。）となる。したがって、周波数ｆ０は共振回路ＲＣの共振周波数である。共振特性曲線の上記極大値から図において右側の領域が遅相側であり、放電ランプＤＬは遅相側の周波数で点灯されるように設定されている。
【００６４】
周波数ｆ１は、比較的共振の程度が高い領域にあるので、インバータ回路ＩＮＶの高周波電圧が共振によって上昇し、深調光時において、この上昇した電圧がパルス状高周波電圧として放電ランプＤＬに間欠的に繰り返し印加される。なお、周波数ｆ１のときには、高周波電圧が十分に高くなるので、放電ランプＤＬは始動および再点弧が可能である。
【００６５】
周波数ｆ２は、ｆ１よりさらに高い周波数であり、共振の程度が弱い領域にあるので、放電ランプＤＬに印加される低圧高周波電圧Ｖｗは低下する。このため、放電ランプＤＬは、周波数ｆ２では再点弧不能であり、アーク放電は停止するものの、微少放電が生起するので、パルス状高周波電圧が印加されない間、図４に示すように微弱電流Ｉｗが流れ続ける。
【００６６】
図５における共振回路は、図１におけるそれと同じなので、周波数ｆ０、ｆ１、ｆ２は、共通している。したがって、図５と図１を比較参照すれば、図５において周波数ｆ１とｆ２の間が安定領域であることを理解できる。
【００６７】
次に、図６を参照して制御手段ＣＣのパルス状高周波電圧均一化手段の作用について説明する。
【００６８】
図６は、電源リップルとパルス状高周波電圧の関係を示す波形図である。図において、符号Ｖは電源リップルを含む直流電圧であり、符号Ｉは深調光時のランプ電流である。すなわち、パルス状高周波電圧の繰り返し周波数は、電源リップルの繰り返し周波数に同期し、かつ電源リップルの極小値の位相に同期して発生する。このため、パルス状高周波電圧の波高値が実質的に均一化されているので、その際に流れるランプ電流の波高値も実質的に均一化される。なお、図中の符号Ｔは、パルス状高周波電圧の繰り返し周期を示している。
【００６９】
次に、図７を参照して本発明の第２の形態について説明する。
【００７０】
図７は、本発明の放電ランプ点灯装置を実施するための第２の形態を示す回路図である。なお、図において、図３と同一部分については同一符号を付して説明を省略する。
【００７１】
本形態は、電源リップルに応じてパルス状高周波電圧の周波数を変化させることで、パルス状高周波電圧を均一化したものである。すなわち、電源リップル監視回路ＶＲＤおよびランプ電圧検出回路ＶＬＤを配設して、これらの検出値に応じて制御手段ＣＣが駆動信号を周波数制御するように構成している。
【００７２】
さらに詳述すれば、電源リップル監視回路ＶＲＤは、インバータ回路ＩＮＶの入力端における直流電圧を監視して電源リップルの波高値を検出して、制御手段ＣＣに制御入力を与える。ランプ電圧検出回路ＶＬＤは、ランプ電圧および高周波電圧の周波数を検出して、制御手段ＣＣに制御入力を与える。
【００７３】
制御手段ＣＣは、電源リップル監視回路ＶＲＤおよびランプ電圧検出回路ＶＬＤからのそれぞれの制御入力に応じてパルス状高周波電圧発生時の駆動信号の繰り返し周波数を帰還制御により調整して、ランプ電圧が一定になるように制御する。この制御動作については、図２を参照すると、その△ｆ１と△ＶＬの関係が上記制御動作を示しているので、理解を助けるであろう。
【図面の簡単な説明】
【００７４】
【図１】放電ランプの周波数−ランプ電流特性曲線を示すグラフ
【図２】共振回路の共振特性と放電ランプのランプ電圧の関係を示すグラフ
【図３】本発明の放電ランプ点灯装置を実施するための第１の形態を示す回路図
【図４】同じく深調光時における放電ランプＤＬに印加される高周波電圧を示す波形図
【図５】同じく共振回路の共振特性曲線と周波数の関係を示すグラフ
【図６】同じく電源リップルとパルス状高周波電圧の関係を示す波形図
【図７】本発明の放電ランプ点灯装置を実施するための第２の形態を示す回路図
【符号の説明】
【００７５】
ＢＵＣ…昇圧チョッパ回路、Ｃ１…平滑コンデンサ、Ｃ２…直流カットコンデンサ、Ｃ３…共振コンデンサ、ＣＣ…制御手段、ＤＬ…放電ランプ、ＤＭ…調光信号発生手段、ＦＢＲ…全波整流回路、ＦＨＣ…フィラメント加熱回路、ＩＮＶ…インバータ回路、Ｌ１…インダクタ、ＬＣ…負荷回路、Ｑ１、Ｑ２…スイッチング素子、ＲＣ…共振回路
【図１】
2008234875.tif 000003
【図２】
2008234875.tif 000004
【図３】
2008234875.tif 000005
【図４】
2008234875.tif 000006
【図５】
2008234875.tif 000007
【図６】
2008234875.tif 000008
【図７】
2008234875.tif 000009